(57)【要約】【課題】コンテンツ視聴者の分析を的確に行い、コンテンツ映像の視聴効率を向上させることができるコンテンツ視聴者分析装置を提供する。【解決手段】表示装置２０１の複数種類のコンテンツ映像を見ている視聴者の位置を特定する視聴者位置特定部１０２と、視聴者の顔を撮影する正面カメラ１０３と、視聴者の顔画像に基づいて、視聴者の視線方向を特定する視線角度特定部１０４とを備える。また、特定した相対的位置と視聴者の視線方向とに基づいて、視聴者が注視している表示装置２０１上の注視点Ｐを特定する注視点特定部１０５と、特定された注視点Ｐに基づいて、視聴者が注視している注視コンテンツを特定する注視コンテンツ特定部１０６と、特定された注視コンテンツを示すコンテンツ注視データを記憶する記憶部１０７とを備える。【選択図】図１
2010232772.tif 000002
【特許請求の範囲】
【請求項１】
複数種類のコンテンツ映像を同時に表示する表示装置を見ている視聴者の前記表示装置に対する相対的位置を特定する位置特定手段と、
前記表示装置に対して予め定められた位置に配置され、前記視聴者の顔を撮影する第１のカメラと、
前記第１のカメラが撮影した前記視聴者の顔画像に基づいて、前記視聴者の視線方向を特定する視線特定手段と、
前記位置特定手段が特定した相対的位置と前記視線特定手段が特定した前記視聴者の視線方向とに基づいて、前記視聴者が注視している前記表示装置上の注視点を特定する注視点特定手段と、
前記注視点特定手段によって特定された前記表示装置上の注視点に基づいて、前記表示装置に表示されている、前記視聴者が注視している注視コンテンツを特定する注視コンテンツ特定手段と、
前記注視コンテンツ特定手段によって特定された注視コンテンツを示すコンテンツ注視データを記憶する記憶手段と、を備えるコンテンツ視聴者分析装置。
【請求項２】
前記注視コンテンツ特定手段は、前記注視点特定手段によって特定された前記表示装置上の注視点に表示されているコンテンツ映像を、前記注視コンテンツとして特定する、請求項１記載のコンテンツ視聴者分析装置。
【請求項３】
前記注視コンテンツ特定手段は、前記注視点特定手段によって特定された前記表示装置上の注視点を中心とする所定の視野範囲のうち、最も広い範囲を占めている前記表示装置に表示されているコンテンツを注視コンテンツとして特定する、請求項１記載のコンテンツ視聴者分析装置。
【請求項４】
前記視聴者及び前記表示装置を上から撮影する第２のカメラをさらに備え、
前記位置特定手段は、前記第２のカメラが撮影した前記視聴者及び前記表示装置を上から撮影した映像に基づいて、前記視聴者の前記表示装置に対する相対的位置を特定する、請求項１〜３のいずれかに記載のコンテンツ視聴者分析装置。
【請求項５】
前記位置特定手段は、前記第１のカメラが撮影した画像中の前記視聴者の相対位置及び顔幅に基づいて、前記視聴者の前記表示装置に対する相対的位置を特定する、請求項１〜３のいずれかに記載のコンテンツ視聴者分析装置。
【請求項６】
前記視線特定手段は、前記第１のカメラが撮影した画像中の前記視聴者の顔幅または両目の間の距離を算出して、前記視聴者の視線方向を特定する、請求項１〜５のいずれかに記載のコンテンツ視聴者分析装置。
【請求項７】
複数種類のコンテンツ映像を同時に表示する表示装置を見ている視聴者の前記表示装置に対する相対的位置を特定する位置特定ステップと、
前記表示装置に対して予め定められた位置に配置され、前記視聴者の顔を撮影する第１のカメラが撮影した前記視聴者の顔画像に基づいて、前記視聴者の視線方向を特定する視線特定ステップと、
前記位置特定ステップが特定した相対的位置と前記視線特定ステップが特定した前記視聴者の視線方向とに基づいて、前記視聴者が注視している前記表示装置上の注視点を特定する注視点特定ステップと、
前記注視点特定ステップによって特定された前記表示装置上の注視点に基づいて、前記表示装置に表示されている、前記視聴者が注視している注視コンテンツを特定する注視コンテンツ特定ステップと、
前記注視コンテンツ特定ステップによって特定された注視コンテンツを示すコンテンツ注視データを記憶する記憶ステップと、を備えるコンテンツ視聴者分析方法。
【請求項８】
複数種類のコンテンツ映像を同時に表示する表示装置を見ている視聴者の前記表示装置に対する相対的位置を特定する位置特定ステップと、
前記表示装置に対して予め定められた位置に配置され、前記視聴者の顔を撮影する第１のカメラが撮影した前記視聴者の顔画像に基づいて、前記視聴者の視線方向を特定する視線特定ステップと、
前記位置特定ステップが特定した相対的位置と前記視線特定ステップが特定した前記視聴者の視線方向とに基づいて、前記視聴者が注視している前記表示装置上の注視点を特定する注視点特定ステップと、
前記注視点特定ステップによって特定された前記表示装置上の注視点に基づいて、前記表示装置に表示されている、前記視聴者が注視している注視コンテンツを特定する注視コンテンツ特定ステップと、
前記注視コンテンツ特定ステップによって特定された注視コンテンツを示すコンテンツ注視データを記憶する記憶ステップと、を備えるコンテンツ視聴者分析方法をコンピュータに実行させるプログラム。
【発明の詳細な説明】
【技術分野】
【０００１】
本発明は、表示装置に表示されたコンテンツを視聴している視聴者の分析を行うコンテンツ視聴者分析装置及びコンテンツ視聴者分析方法、並びにプログラムに関する。
【背景技術】
【０００２】
複数種類のコンテンツ映像を同時に表示する大型の表示装置が駅、ホテル、ショッピングモール等の様々な施設に設置されている。例えば、製品やサービスを宣伝する目的でコンテンツ映像を放映する会社（業者）は、コンテンツ映像を視聴するコンテンツ視聴者の動向を分析して、より効率的なコンテンツ映像の放映を行う必要がある。
【０００３】
すなわち、所定期間（時間単位、日単位、週単位等）におけるコンテンツ視聴者の数、あるいは、複数種類のコンテンツ映像のうちのいずれを視聴しているのか等を分析する必要がある。
【発明の概要】
【発明が解決しようとする課題】
【０００４】
ところで、表示面を分割して複数種類のコンテンツ映像が同時に表示されている場合、コンテンツ映像別に効果を測定するためには、どれくらいの数の視聴者がどのコンテンツをどの程度見たかを把握する必要がある。
【０００５】
本発明の目的は、コンテンツ視聴者の分析を的確に行い、コンテンツ映像の視聴効率を向上させることができるコンテンツ視聴者分析装置及びコンテンツ視聴者分析方法、並びにプログラムを提供することにある。
【課題を解決するための手段】
【０００６】
本発明の一つの態様に従うコンテンツ視聴者分析装置は、複数種類のコンテンツ映像を同時に表示する表示装置を見ている視聴者の前記表示装置に対する相対的位置を特定する位置特定手段と、前記表示装置に対して予め定められた位置に配置され、前記視聴者の顔を撮影する第１のカメラと、前記第１のカメラが撮影した前記視聴者の顔画像に基づいて、前記視聴者の視線方向を特定する視線特定手段と、前記位置特定手段が特定した相対的位置と前記視線特定手段が特定した前記視聴者の視線方向とに基づいて、前記視聴者が注視している前記表示装置上の注視点を特定する注視点特定手段と、前記注視点特定手段によって特定された前記表示装置上の注視点に基づいて、前記表示装置に表示されている、前記視聴者が注視している注視コンテンツを特定する注視コンテンツ特定手段と、前記注視コンテンツ特定手段によって特定された注視コンテンツを示すコンテンツ注視データを記憶する記憶手段と、を備える。
【０００７】
好適な実施形態では、前記注視コンテンツ特定手段は、前記注視点特定手段によって特定された前記表示装置上の注視点に表示されているコンテンツ映像を、前記注視コンテンツとして特定しても良い。
【０００８】
好適な実施形態では、前記注視コンテンツ特定手段は、前記注視点特定手段によって特定された前記表示装置上の注視点を中心とする所定の視野範囲のうち、最も広い範囲を占めている前記表示装置に表示されているコンテンツを注視コンテンツとして特定してもよい。
【０００９】
好適な実施形態では、前記視聴者及び前記表示装置を上から撮影する第２のカメラをさらに備え、前記位置特定手段は、前記第２のカメラが撮影した前記視聴者及び前記表示装置を上から撮影した映像に基づいて、前記視聴者の前記表示装置に対する相対的位置を特定してもよい。
【００１０】
好適な実施形態では、前記位置特定手段は、前記第１のカメラが撮影した画像中の前記視聴者の相対位置及び顔幅に基づいて、前記視聴者の前記表示装置に対する相対的位置を特定してもよい。
【００１１】
好適な実施形態では、前記視線特定手段は、前記第１のカメラが撮影した画像中の前記視聴者の顔幅または両目の間の距離を算出して、前記視聴者の視線方向を特定してもよい。
【発明の効果】
【００１２】
本発明のコンテンツ視聴者分析装置によれば、コンテンツ視聴者の分析を的確に行い、コンテンツ映像の視聴効率を向上させることができる。
【図面の簡単な説明】
【００１３】
【図１】本発明の一実施形態に係るコンテンツ視聴者分析装置のブロック構成図である。
【図２】視聴者が表示装置のコンテンツ映像を見ている様子を示す概念図である。
【図３】天井カメラで撮影した映像を示す図である。
【図４】正面カメラで撮影した視聴者の映像を示す図である。
【図５】両目の位置と視線角度βとの関係を示す拡大図である。
【図６】天井カメラ映像と正面カメラ映像に基づいて得られた注視点、視線角度、視野角等を示す説明図である。
【図７】注視点、視野角を表示装置のコンテンツ上に重ね合わせて示す説明図である。
【図８】視野範囲の求め方を示す説明図である。
【図９】コンテンツ表示スケジュールの内容を示す図である。
【図１０】コンテンツ注視データの内容を示す図である。
【図１１】コンテンツ視聴者分析装置によって実行されるコンテンツ視聴者分析処理の手順を示すフローチャートである。
【発明を実施するための形態】
【００１４】
以下、本発明の一実施形態について、図面に基づいて説明する。
【００１５】
図１は、本発明の一実施形態に係るコンテンツ視聴者分析装置のブロック構成図である。
【００１６】
本実施形態に係るコンテンツ視聴者分析装置１は、天井カメラ１０１及び正面カメラ１０３と、コンテンツ視聴者分析装置本体１０とを備える。
【００１７】
コンテンツ視聴者分析装置本体１０は、例えば汎用的なコンピュータシステムにより構成され、以下に説明するコンテンツ視聴者分析装置本体１０内の個々の構成要素または機能は、例えば、コンピュータプログラムを実行することにより実現される。このコンピュータプログラムは、コンピュータ読み取り可能な記録媒体に格納可能である。
【００１８】
コンテンツ視聴者分析装置本体１０は、図１に示すように、視聴者位置特定部１０２、視線角度特定部１０４、注視点特定部１０５、注視コンテンツ特定部１０６、コンテンツ注視データ記憶部１０７、注視量算出部１０８、天井カメラ映像記憶部１１１、正面カメラ映像記憶部１１２及びコンテンツ表示スケジュール記憶部１１３を備える。
【００１９】
図２は、視聴者が表示装置のコンテンツ映像を見ているときの位置関係を示す概念図である。
【００２０】
例えば、複数種類のコンテンツ映像を同時に表示する表示装置２０１は、設置場所の壁面に取り付けられており、その上部には、正面カメラ１０３が取り付けられている。また、この設置場所の上方（例えば天井）には、天井カメラ１０１が取り付けられている。
【００２１】
図２の例では、表示装置２０１にコンテンツ映像が表示されていて、２人の視聴者２０２（２０２−１、２０２−２）が表示装置２０１に放映されるコンテンツ映像を視聴している場面を示す。
【００２２】
このときに、天井カメラ１０１が撮影した天井カメラ映像が、天井カメラ映像記憶部１１１に格納される。天井カメラ１０１は、視聴者２０２及び表示装置２０１を上から撮影する第２のカメラとして機能する。
【００２３】
視聴者位置特定部１０２は、表示装置２０１を見ている視聴者２０２の表示装置２０１に対する相対的位置を特定する位置特定手段として機能する。例えば、視聴者位置特定部１０２は、天井カメラ１０１が撮影した視聴者２０２及び表示装置２０１を上から撮影した映像（天井カメラ映像）に基づいて、視聴者２０２の表示装置２０１に対する相対的位置を特定する。視聴者位置特定部１０２の詳細な処理について、図３を参照して説明する。
【００２４】
図３は、天井カメラ映像のサンプリング画像の一例を示す図である。
【００２５】
視聴者位置特定部１０２は、所定の時間間隔で天井カメラ映像を所定のサンプリング間隔でサンプリングした画像を用いて、表示装置２０１に対する視聴者２０２の相対位置を特定する。例えば、視聴者位置特定部１０２は、この映像の中の所定の基準点を原点Ｏ（図３では、画像の左上隅）として、視聴者２０２−１、２０２−２の位置座標を特定する。図３の例では、視聴者２０２−１が（ｘ１，ｙ１）、視聴者２０２−２が（ｘ２，ｙ２）に存在する。
【００２６】
再び図１を参照すると、正面カメラ１０３で撮影した正面カメラ映像が、正面カメラ映像記憶部１１２に格納される。正面カメラ１０３は、表示装置２０１に対して予め定められた位置に配置されていて、視聴者２０２の顔を撮影する第１のカメラとして機能する。
【００２７】
視線角度特定部１０４は、正面カメラ１０３が撮影した視聴者２０２の顔画像（正面カメラ映像）に基づいて、視聴者２０２の視線方向（視線角度：図６で後述する）を特定する視線特定手段として機能する。例えば、視線角度特定部１０４は、正面カメラ１０３が撮影した画像（正面カメラ映像）中の視聴者の顔幅または両目の間の距離を算出して、視聴者の視線方向を特定する。視線角度特定部１０４の詳細な処理について、図４を参照して説明する。
【００２８】
図４は、正面カメラ映像のサンプリング画像の一例を示す図である。
【００２９】
視線角度特定部１０４は、正面カメラ映像を、天井カメラ映像と同期したサンプリング間隔でサンプリングした画像を用いて、画像処理によって、同図に示す正面カメラ映像における視聴者２０２の顔幅ｗと両目間距離ｅを算出する。ここで、顔幅ｗ及び両目間距離ｅは、視聴者２０２と表示装置２０１との距離Ｌ１及び視聴者の顔が表示装置２０１に対して向いている角度により変化する。そこで、視線角度特定部１０４は、距離Ｌ１別に、視聴者の顔が表示装置２０１の正面を向いているときの標準的な顔幅ｗｄ及び両面間距離ｅｄの値を予め保持している。視線角度特定部１０４は、この距離Ｌ１（＝ｙ１）に対応するｗｄ及びｅｄと、画像処理で算出したｗ及びｄに基づいて、視聴者２０２−１の視線角度β（図６参照）を算出する。例えば、図５は、両目の位置と視線角度βとの関係を示す拡大図である。同図では、実際の両目間の間隔ｅｒとカメラが捉える両目間距離ｅとの関係を示す。この図では、視線角度βは、β＝ｃｏｓ−１（ｅ／ｅｒ）により求まることがわかる。従って、距離Ｌ１に応じた標準的な両面間距離ｅｄを用いたときは、視線角度βは、β＝ｃｏｓ−１（ｅ／ｅｄ）により求まる。同様の考え方で顔幅を利用すれば、β＝ｃｏｓ−１（ｗ／ｗｄ）で求まる。
【００３０】
あらためて図１を参照すると、注視点特定部１０５は、視聴者位置特定部１０２が特定した相対的位置と、視線角度特定部１０４が特定した視聴者２０２の視線方向とに基づいて、視聴者２０２が注視している表示装置２０１上の注視点を特定する注視点特定手段として機能する。注視点特定部１０５の詳細な処理について、図６を参照して説明する。
【００３１】
図６は、図３の天井カメラ映像のサンプリング画像と、図４の正面カメラ映像のサンプリング画像に基づいて得られた注視点Ｐ、視線角度β、視野角θ等を示す説明図である。同図では、視聴者２０２−２の表示は省略している。
【００３２】
同図において、視聴者２０２−１は、（ｘ１，ｙ１）の位置にいる。従って、注視点特定部１０５は、視聴者２０２−１と表示装置２０１との間の距離Ｌ１を、Ｌ１＝ｙ１で算出する。また、同図において、視聴者２０２−１の視線方向（視線角度βの方向）と表示画面との交点である注視点Ｐのｘ座標は、（ｘ１＋Ｌ２）である。そこで、注視点特定部１０５は、距離Ｌ２をＬ２＝Ｌ１ｔａｎβで算出して、注視点Ｐを特定する。
【００３３】
さらに、同図において、視聴者２０２−１の一般的な視野の範囲を示す視野角をθとすると、視野範囲は視線方向を中心とした左右（θ／２）の範囲である。
【００３４】
図７は、図６で示される注視点Ｐ、視野角θの範囲を表示装置２０１のコンテンツ上に重ね合わせて示す説明図である。
【００３５】
注視コンテンツ特定部１０６は、注視点特定部１０５によって特定された表示装置２０１上の注視点に基づいて、表示装置２０１に表示されている、視聴者２０２が注視している注視コンテンツを特定する注視コンテンツ特定手段とて機能する。例えば、図７の例では、視聴者２０２−１の注視点Ｐは、コンテンツＡの映像の上にある。そこで、注視コンテンツ特定部１０６は、コンテンツ表示スケジュール記憶部１１３を参照して、以下の２つの選択方法のいずれかにより注視コンテンツを特定する。
【００３６】
第１の選択方法は、注視点特定部１０５によって特定された表示装置２０１上の注視点Ｐに表示されているコンテンツ映像を、注視コンテンツとして特定する。従って、第１の選択方法に従うと、図７の例は、表示装置２０１の向かって左側に表示されているコンテンツ（コンテンツＡ）が注視コンテンツとなる。ここで、注視点特定部１０５は、コンテンツ表示スケジュール記憶部１１３を参照して、現在処理している画像をサンプリングしたタイミング（日時）に表示装置２０１の向かって左側に表示されているコンテンツのコンテンツＩＤを特定する。
【００３７】
ここで、図９は、コンテンツ表示スケジュール記憶部１１３に記憶されているコンテンツ表示スケジュール１１３０の一例を示す図である。同図に示すように、コンテンツ表示スケジュール１１３０は、例えば、放映枠１１３１、放映日１１３２、放映時間１１３３、表示装置上での表示位置１１３４及び表示させるコンテンツＩＤ１１３５をデータ項目に有する。
【００３８】
従って、注視点特定部１０５は、処理中の画像のサンプリング日時の放映日１１３２、放映時間１１３３に対応する放映枠１１３１及びコンテンツＩＤ１１３５を特定する。
【００３９】
第２の選択方法は、注視点特定部１０５によって特定された表示装置２０１上の注視点Ｐを中心とする所定の視野範囲のうち、最も広い範囲を占めている表示装置２０１に表示されているコンテンツを注視コンテンツとして特定する。第２の選択方法では、視野角θの範囲を最も占めているコンテンツは、表示装置２０１の向かって右側に表示されているコンテンツ（コンテンツＢ）が注視コンテンツとなる。ここで、注視点特定部１０５は、コンテンツ表示スケジュール記憶部１１３を参照して、現在処理している画像をサンプリングしたタイミング（日時）に表示装置２０１の向かって右側に表示されているコンテンツのコンテンツＩＤを特定する。
【００４０】
ここで、図８は、視野範囲の求め方を示す。同図に示すように、注視点Ｐを中心とする左右方向の視野範囲を示すＬ３及びＬ４は、それぞれ、以下の式により求まる。
Ｌ３＝Ｌ２−Ｌ１ｔａｎ（β−θ／２）
Ｌ４＝Ｌ１ｔａｎ（β＋θ／２）−Ｌ２
その結果、注視点Ｐとする視野範囲のｘ座標が求まるので、図７の例ではコンテンツＡの領域とコンテンツＢの領域のいずれが多く視野範囲に含まれているかを判定することができる。
【００４１】
第１の選択方法の場合と同様に、注視点特定部１０５は、処理中の画像のサンプリング日時の放映日１１３２、放映時間１１３３に対応する放映枠１１３１及びコンテンツＩＤ１１３５を特定する。
【００４２】
なお、上記の例では、表示装置２０１を左右に２分割しているが、３分割以上する場合でも同様である。
【００４３】
コンテンツ注視データ記憶部１０７は、注視コンテンツ特定部１０６によって特定された注視コンテンツを示すコンテンツ注視データを記憶する記憶手段である。
【００４４】
図１０は、コンテンツ注視データ１０７０の内容の一例を示す図である。
【００４５】
コンテンツ注視データ１０７０は、例えば、放映枠１０７１、コンテンツＩＤ１０７２、処理対象画像のサンプリング日１０７３、及び時刻１０７４をデータ項目として有する。
【００４６】
上述した処理からわかるように、注視コンテンツ特定部１０６は、一組の天井カメラ映像のサンプリング画像及び正面カメラ映像のサンプリング画像から、注視コンテンツを一つ特定する。従って、注視コンテンツ特定部１０６は、一組の天井カメラ映像のサンプリング画像及び正面カメラ映像のサンプリング画像から、コンテンツ注視データ１０７０を一レコード生成する。この結果、所定時間分の天井カメラ映像及び正面カメラ映像を所定の時間間隔でサンプリングして処理することにより、コンテンツ注視データ記憶部１０７に、コンテンツ注視データ１０７０の複数のレコードが蓄積されていく。
【００４７】
注視量算出部１０８は、コンテンツ注視データ記憶部１０７にコンテンツ注視データ１０７０が蓄積されているとき、以下の機能を発揮する。すなわち、注視量算出部１０８は、コンテンツ注視データ記憶部１０７に蓄積されているコンテンツ注視データ１０７０に基づいて、コンテンツ映像別に、各コンテンツ映像を注視した注視人数、及び各視聴者が注視した合計注視時間の少なくとも一方を含むコンテンツ別注視量を算出する注視量算出手段として機能する。
【００４８】
例えば、注視量算出部１０８は、コンテンツＩＤ１０７２別に、コンテンツ注視データ記憶部１０７に蓄積されているレコード数をカウントする。これにより、コンテンツＩＤ別の注視した視聴者の延べ人数が算出される。また、カウントされたレコード数にサンプリング間隔をかけることで、合計の注視時間が算出される。
【００４９】
図１１は、上述した構成を備えるコンテンツ視聴者分析装置１によって実行されるコンテンツ視聴者分析処理の手順を示すフローチャートである。
【００５０】
まず、コンテンツ表示スケジュール１１３０が決定され、コンテンツ表示スケジュール記憶部１１３に登録される（ステップＳ１０１）。
【００５１】
次に、コンテンツ表示スケジュール１１３０に従って、表示装置２０１にコンテンツ映像が放映されているときに、天井カメラ１０１及び正面カメラ１０３が、それぞれ、視聴者２０２の映像を撮影して、天井カメラ映像記憶部１１１及び正面カメラ映像記憶部１１２に格納する（ステップＳ１０２）。
【００５２】
その後、視聴者位置特定部１０２が、天井カメラ映像記憶部１１１に記憶されている天井カメラ映像を所定タイミングでサンプリングし、サンプリングした天井カメラ画像に基づいて視聴者位置を特定する（ステップＳ１０３）。次に、視線角度特定部１０４が、正面カメラ映像記憶部１１２に記憶されている正面カメラ映像を、ステップＳ１０３の天井カメラ画像と同じタイミングの画像をサンプリングし、サンプリングした正面カメラ画像に基づいて、視聴者別の視線角度を特定する（ステップＳ１０４）。
【００５３】
次に、注視点特定部１０５が、ステップＳ１０３及びＳ１０４の処理結果に基づいて、視聴者の注視点Ｐを特定する（ステップＳ１０５）。さらに、ステップＳ１０５で特定された注視点Ｐに基づいて、注視コンテンツ特定部１０６が注視コンテンツを特定して、コンテンツ注視データ１０７０を生成し、コンテンツ注視データ記憶部１０７に格納する（ステップＳ１０６）。
【００５４】
分析対象の正面カメラ映像及び天井カメラ映像に対する分析処理が終了するまで、ステップＳ１０３〜ステップＳ１０６を繰り返す（ステップＳ１０７）。そして、分析対象映像の分析が終了したら（ステップＳ１０７でＹＥＳ）、注視量算出部１０８が、コンテンツ注視データ記憶部１０７を参照して、コンテンツ別の注視量を算出する（ステップＳ）、記憶部１０７に記憶する。
【００５５】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【００５６】
例えば、上述した実施形態では、表示装置２０１から視聴者までの距離Ｌ１は、天井カメラ映像を用いて算出しているが、これ以外の方法で算出しても良い。例えば、表示装置２０１が設置されている壁面に距離センサを設けて、表示装置２０１から視聴者までの距離Ｌ１を計測しても良いし、正面カメラ画像を用いて算出しても良い。
【符号の説明】
【００５７】
１        コンテンツ視聴者分析装置
１０     コンテンツ視聴者分析装置本体
１０１  天井カメラ
１０２  視聴者位置特定部
１０３  正面カメラ
１０４  視線角度特定部
１０５  注視点特定部
１０６  注視コンテンツ特定部
１０７  コンテンツ注視データ記憶部
１０８  注視量算出部
１１１  天井カメラ映像記憶部
１１２  正面カメラ映像記憶部
１１３  コンテンツ表示スケジュール記憶部
【図１】
2010232772.tif 000003
【図２】
2010232772.tif 000004
【図３】
2010232772.tif 000005
【図４】
2010232772.tif 000006
【図５】
2010232772.tif 000007
【図６】
2010232772.tif 000008
【図７】
2010232772.tif 000009
【図８】
2010232772.tif 000010
【図９】
2010232772.tif 000011
【図１０】
2010232772.tif 000012
【図１１】
2010232772.tif 000013